(57)【要約】【課題】  特定キーコードのキーによって操作可能の状態にあることが容易に確認できるようになった可変コード型シリンダ錠を提供する。【解決手段】  特定キーコードのキーに設けられた係合部とだけ係合する被係合部を有する回動部材７０が、外筒３内に回動可能に設けられ、外筒の前面壁には確認窓５７が設けられ、コード変換位置において、特定キーコードのキーをキー孔に挿入して、外筒に対し内筒を通常操作可能位置にまで回動させることで、キーコードの変換が完了し、特定キーコードのキーによる通常操作が可能となるとともに、特定キーコードのキーの係合部と回動部材の被係合部が係合して回動部材が回動し、確認窓により、特定キーコードのキーによる通常操作が可能となったことを確認できるようになっていることを特徴とする。【選択図】  図３
2011069084.tif 000002
【特許請求の範囲】
【請求項１】
外筒に対する内筒の通常操作可能位置において、通常操作可能に設定されたキーコードのキーをキー孔に挿入し、前記外筒に対し内筒を回動させることで通常操作が可能とされ、前記通常操作可能位置で前記キーをキー孔に挿入し前記内筒をコード変換位置にまで回動させた上で、別キーコードのキーをキー孔に挿入して前記通常操作可能位置にまで回動させることで、キーコードの変換が完了し前記別キーコードのキーによる通常操作可能に設定変更されるようになっている可変コード型シリンダ錠において、
特定キーコードのキーに設けられた係合部とだけ係合する被係合部を有する回動部材が、前記外筒内に内筒の回動軸線を中心として回動可能に設けられ、
前記外筒の前面壁には、前記特定キーコードのキーによる通常操作の可否を前記回動部材の回動位置によって確認するための確認手段が設けられ、
前記コード変換位置において、特定キーコードのキーをキー孔に挿入して、前記内筒を前記通常操作可能位置にまで回動させることで、キーコードの変換が完了し、前記特定キーコードのキーによる通常操作が可能となるとともに、前記特定キーコードのキーの係合部と前記回動部材の被係合部が係合して回動部材が回動し、前記確認手段により、前記特定キーコードのキーによる通常操作が可能となったことを確認できるようになっていることを特徴とする可変コード型シリンダ錠。
【請求項２】
前記回動部材は、前記外筒の前面壁と内筒の前面壁との間に、回動可能に設けられていることを特徴とする請求項１記載の可変コード型シリンダ錠
【請求項３】
前記回動部材の被係合部が、前記特定キーコードのキーの抜け止め用突起に設けられた係合部と係合する被係合凹部であることを特徴とする請求項１または２記載の可変コード型シリンダ錠。
【請求項４】
前記回動部材に、前記特定キーコードのキーで通常操作可能となったことを表示する表示部が設けられ、前記外筒の前面壁に設けられた確認窓を介して確認ができるようになっていることを特徴とする請求項１、２または３記載の可変コード型シリンダ錠。
【請求項５】
前記回動部材が、クリック機構により、前記内筒の通常操作可能位置またはコード変換位置の２カ所の位置において、前記外筒に係止されるようになっていることを特徴とする請求項１、２、３または４記載の可変コード型シリンダ錠。
【請求項６】
前記外筒の周壁内側にクリック用係止部が形成され、前記回動部材が、薄板状であって、第１弾性アームと第２弾性アームを有し、前記第１アームにクリック係止用の第１被係止部、前記第２アームに第２被係止部が設けられ、前記第１被係止部は、前記内筒が特定キーコードのキーによる通常操作可能位置にあるとき前記クリック用係止部と係止し、第２被係止部は、前記内筒が特定キーコードによってキーがコード変換位置にまで回動したとき前記クリック用係止部と係止するようになっていることを特徴とする請求項５記載の可変コード型シリンダ錠。
【請求項７】
前記クリック用係止部が、サイドバー用の係合凹部を長手方向に延長した凹部であり、
前記回動部材の第１被係止部、第２被係止部が、前記凹部に係止する突起形状となっていることを特徴とする請求項６記載の可変コード型シリンダ錠。
【請求項８】
前記回動部材が前記内筒に回動可能に支持されていることを特徴とする請求項１ないし請求項７のいずれかに記載の可変コード型シリンダ錠。
【発明の詳細な説明】
【技術分野】
【０００１】
この発明は、可変コード型シリンダ錠に関するものである。さらに詳しくは、この発明は、あるキーコードのキーで施錠・解錠といった操作が可能な状態から別のキーコードのキーで操作が可能な状態に設定変更することのできる可変コード型シリンダ錠に関するものである。
【背景技術】
【０００２】
可変コード型シリンダ錠は、各種の分野で有用である。
例えば、可変コード型シリンダ錠をパチンコ、パチスロ等の遊技機に採用することは、メーカーにとって、製造、出荷する多数の遊技機を１種類のキーコードのキー（流通キーまたは標準キーともいう。）で施錠・解錠操作ができるように設定することで、遊技機の製造、検査等が容易となるといった大きな利点がある。また、ユーザーである遊技場側にとっても、流通キーに換え、一つの遊技場側で決定した専用のキーコードのキー（ユーザーキーともいう。）一つで多数の遊技機を施錠・解錠できるようにキーコードを設定変更することが容易にでき、多数の遊技機を管理する観点や第三者による遊技機への不正操作を防止する観点（例えば、ユーザーキーを紛失したり、盗難にあったり、不正に合い鍵を作製されたりした場合、別のキーコードのユーザーキーに設定変更することが容易にできること）等から大きな利点がある。
【０００３】
ところで、遊技機は新機種の発売等に伴い、遊技場において遊技機の入れ替えが頻繁に行われる。入れ替えに際し、遊技場から撤去された遊技機は、廃棄されないで、転売されたり、メーカーに下取りされて、遊技内容を変更したり、外装シールを交換したりしてリメイクされ、再生品として、再び、市場に供給されるものが多い。
このような場合、可変コード型シリンダ錠を採用した遊技機では、遊技場側において、ユーザーキーから流通キーで操作できるようにコード変換（すなわち、キーコードの設定変更をし直すこと。）をしてから、転売したり、メーカーに引き取ってもらう必要がある。
ところが、不注意等によるコード変換忘れの遊技機があっても、遊技機に装着された可変コード型シリンダ錠がコード変換され流通キーで操作可能になっているかどうか、外観からでは区別が付かず、見過ごされ、流通キーで操作ができない遊技機が、転売されたり、メーカーに引き取られることになる。
遊技機を引き取ったメーカーでは、コード変換忘れの遊技機のユーザーキーのコードが不明なことからキー操作ができず、リメイクが不可能となり、結局、そのような遊技機は廃棄せざるを得ない。
【０００４】
可変コード型シリンダ錠としては、これまでに、例えば、特許文献１、特許文献２、特許文献３に例示されるように、種々のものが提案されている。
【先行技術文献】
【特許文献】
【０００５】
【特許文献１】特許第４１４５３３４号公報
【特許文献２】特開２００５−２３２８００号公報
【特許文献３】特開平９−２３５９２１号公報
【発明の概要】
【発明が解決しようとする課題】
【０００６】
特許文献１に記載の可変コード型シリンダ錠を図面に基づいて説明するに、図１はその分解斜視図、図２は通常操作のためキーが挿入された状態の断面図である。
図１、図２において、１は可変コード型シリンダ錠、２は後部フランジ、２ａはネジ孔、３は外筒、３ａはサイドバー用の係合凹部、４は裏板カバー、４ａはカム孔、５はキー孔、６は内筒、６ａ、６ｂ、…６ｉはタンブラー孔および後部タンブラー孔、７は第１タンブラー、８は第２タンブラー、９は開閉用サイドバー、９ａは支持孔、１０はコード変換用サイドバー、１０ａは支持孔、１１はキー確認タンブラー、１３はバネ、１４はリセットタンブラー、１５はカム軸、１５ａはリセット係合部、１６はリセットレバー、２１はキー挿入孔、２１ａはキー係合突起、２２はコード溝、２４は嵌合孔、３１は開閉用サイドバー溝、３２ａ、３２ｂ、３２ｃはコード変換用サイドバー溝、３３ａ、３３ｂはスリット、４１はバネ支持突起、４４は係合突起、５１はばね、Ｋはキーである。
この可変コード型シリンダ錠１は、内周面に長手方向に沿ってサイドバー用の係合凹部３ａが形成された外筒３と、キー孔５と交差するタンブラー孔６ａ、６ｂ、・・・が長手方向に複数設けられ、かつタンブラー孔５と連通するサイドバー用のスリット３３ａ、３３ｂが外周面に複数設けられた内筒６とを備え、前記内筒６のサイドバー用のスリットスリット３３ａ、３３ｂには前記外筒方向にバネ付勢力された開閉用サイドバー９及びコード変換用サイドバー１０が挿入され、前記内筒タンブラー孔６ａ、６ｂ、・・・には第１タンブラー７と第２タンブラー８が挿入され、前記第１タンブラー７は、中央にキー孔５を有し、前記第２タンブラー８は、一端側に開閉用サイドバー９を係合させる少なくとも１個の開閉用サイドバー溝３１、他端側にコード変換用サイドバー１０を係合させる複数個のコード変換用サイドバー溝３２ａ、３２ｂ、３２ｃそれぞれを有し、前記第１タンブラー７と第２タンブラー８とは、キーＫの挿入による前記内筒６のタンブラー孔内に沿った前記第１タンブラー７の上下スライドによって第２タンブラー８が回動可能となるように連結され、コード変換時には変換前に使用したキーＫを挿入し、内筒６をコード変換位置まで回動させて、コード変換用サイドバー１０の係合を解除し、第１タンブラー７の上下スライドを可能にした上で新たに変換したいキーを挿入して新しいキーの溝（コード）に合致するよう第１タンブラー７を上下にスライドさせることにより、第２タンブラー８は開閉用サイドバー９を軸に回動し、新しいキー溝に対応する前記第２タンブラー８のコード変換用サイドバー溝３２ａ、３２ｂ、３２ｃへのコード変換用サイドバー１０の係合を可能にしたものである。
特許文献１に記載の可変コード型シリンダ錠１は、要するに、外筒３に対する内筒６の通常操作可能位置において、キーＫをキー孔５に挿入し、外筒３に対し内筒６を回動させることで通常操作が可能とされ、通常操作可能位置で前記キーをキー孔５に挿入し外筒３に対し内筒６をコード変換位置にまで回動させた上で、新たに交換したいキーをキー孔５に挿入して前記通常操作可能位置にまで回動させることで、キーコードの変換が完了し新たに交換したいキーによる通常操作可能に設定変更されるようになっているものである。
ここにおいて、通常操作可能位置とは、施錠・解錠等の通常操作を行うためにキーをキー孔に挿入することができるようになっている外筒に対する内筒の位置を意味する。
【０００７】
可変コード型シリンダ錠１において、外筒３に形成されたサイドバー用の係合凹部３ａ、内筒６、内筒に配設される第１タンブラー７と第２タンブラー８、開閉用サイドバー９、コード変換用サイドバー１０、バネ５１等は、変換前に使用したキーＫで通常操作可能とされていた状態から、新たに変換したいキーで通常操作可能な状態にキーコードを変更する際に、コード変換機構として機能するものである。
従って、可変コード型シリンダ錠１において、流通キーで通常操作可能に設定された状態から、ユーザーキーで通常操作可能な状態にキーコードを変更するには、通常操作可能位置において、流通キーをキー孔５に挿入し外筒３に対し内筒６をコード変換位置にまで回動させた上で、ユーザーキーをキー孔５に挿入して通常操作可能位置にまで回動させることにより、コード変換機構が機能し、キーコードの変換が完了しユーザーキーで通常操作可能な状態に設定変更される。
逆に、ユーザーキーで通常操作可能に設定された状態から、流通キーで通常操作可能な状態にキーコードを変更するには、通常操作可能位置において、ユーザーキーをキー孔５に挿入し外筒３に対し内筒６をコード変換位置にまで回動させた上で、流通キーをキー孔５に挿入して通常操作可能位置にまで回動させることにより、コード変換機構が機能し、キーコードの変換が完了し流通キーで通常操作可能な状態に設定変更されることになる。
【０００８】
特許文献２、特許文献３に記載された可変コード型シリンダ錠は、特許文献１に記載された可変コード型シリンダ錠と、キーの形状・構造、コード変換機構等の細部で異なるものの、いずれも、外筒に対する内筒の通常操作可能位置において、キーをキー孔に挿入し、外筒に対し内筒を回動させることで通常操作が可能とされ、通常操作可能位置で前記キーをキー孔に挿入し外筒に対し内筒をコード変換位置にまで回動させた上で、別キーコードのキーをキー孔に挿入して前記通常操作可能位置にまで回動させることで、キーコードの変換が完了し前記別キーコードのキーによる通常操作可能に設定変更されるようになっているものである。
【０００９】
特許文献１〜特許文献３に記載の可変コード型シリンダ錠は、いずれも、外観からは、どのようなキーで操作可能か、すなわち、流通キーで操作可能な状態にあるのか、または、ユーザーキーによって操作可能な状態にあるのかどうかが確認できない。
【００１０】
この発明は、上記のような実情に鑑み鋭意研究の結果創案されたものであり、特定キーコードのキー（例えば、流通キー）によって操作可能の状態にあることと、それ以外のキーコードのキー（ユーザーキー）によって操作可能の状態にあることが容易に確認できるようになった可変コード型シリンダ錠、例えば、可変コード型シリンダ錠を採用した遊技機において、メーカーが設定した流通キーのキーコードで操作可能な状態にある可変コード型シリンダ錠を採用した遊技機を、遊技場側でユーザーキーのキーコードで操作可能な状態にコード変換（設定変更）することが容易に行えるとともに、ユーザーキーで操作可能となっていることが容易に確認でき、また、遊技機の入れ替え時に、転売したり、メーカーに引き取ってもらう遊技機を、ユーザーキーのキーコードで操作可能な状態から流通キーのキーコードで操作可能な状態にコード変換することが容易に行え、流通キーで操作可能な状態にキーコードが戻っていることが容易に確認できる安価な可変コード型シリンダ錠を提供することを目的としている。
【課題を解決するための手段】
【００１１】
上記課題を解決するために、この発明は、（１）外筒に対する内筒の通常操作可能位置において、通常操作可能に設定されたキーコードのキーをキー孔に挿入し、前記外筒に対し内筒を回動させることで通常操作が可能とされ、前記通常操作可能位置で前記キーをキー孔に挿入し前記内筒をコード変換位置にまで回動させた上で、別キーコードのキーをキー孔に挿入して前記通常操作可能位置にまで回動させることで、キーコードの変換が完了し前記別キーコードのキーによる通常操作可能に設定変更されるようになっている可変コード型シリンダ錠において、特定キーコードのキーに設けられた係合部とだけ係合する被係合部を有する回動部材が、前記外筒内に内筒の回動軸線を中心として回動可能に設けられ、前記外筒の前面壁には、前記特定キーコードのキーによる通常操作の可否を前記回動部材の回動位置によって確認するための確認手段が設けられ、前記コード変換位置において、特定キーコードのキーをキー孔に挿入して、前記内筒を前記通常操作可能位置にまで回動させることで、キーコードの変換が完了し、前記特定キーコードのキーによる通常操作が可能となるとともに、前記特定キーコードのキーの係合部と前記回動部材の被係合部が係合して回動部材が回動し、前記確認手段により、前記特定キーコードのキーによる通常操作が可能となったことを確認できるようになっていることを特徴とする。
（２）上記（１）において、前記回動部材は、前記外筒の前面壁と内筒の前面壁との間に、回動可能に設けられていることが好ましい。
（３）上記（１）または（２）において、前記回動部材の被係合部が、前記特定キーコードのキーの抜け止め用突起に設けられた係合部と係合する被係合凹部であることが好ましい。
（４）上記（１）、（２）または（３）において、前記回動部材に、前記特定キーコードのキーで通常操作可能となったことを表示する表示部が設けられ、前記外筒の前面壁に設けられた確認窓を介して確認ができるようになっていることが好ましい。
（５）上記（１）、（２）、（３）または（４）において、前記回動部材が、クリック機構により、前記内筒の通常操作可能位置またはコード変換位置の２カ所の位置において、前記外筒に係止されるようになっていることが好ましい。
（６）上記（５）において、前記外筒の周壁内側にクリック用係止部が形成され、前記回動部材が、薄板状であって、第１弾性アームと第２弾性アームを有し、前記第１アームにクリック係止用の第１被係止部、前記第２アームに第２被係止部が設けられ、前記第１被係止部は、前記内筒が特定キーコードのキーによる通常操作可能位置にあるとき前記クリック用係止部と係止し、第２被係止部は、前記内筒が特定キーコードによってキーがコード変換位置にまで回動したとき前記クリック用係止部と係止するようになっていることが好ましい。
（７）上記（６）において、前記クリック用係止部が、サイドバー用の係合凹部を長手方向に延長した凹部であり、前記回動部材の第１被係止部、第２被係止部が、前記凹部に係止する突起形状となっていることが好ましい。
（８）上記（１）ないし（７）のいずれかにおいて、前記回動部材が前記内筒に回動可能に支持されていることが好ましい。
【発明の効果】
【００１２】
この発明は、以上説明したように構成されているので、以下に記載されるような効果を奏する。
すなわち、特定キーコードのキーに設けられた係合部とだけ係合する被係合部を有する回動部材が、前記外筒内に内筒の回動軸線を中心として回動可能に設けられ、前記外筒の前面壁には、前記特定キーコードのキーによる通常操作の可否を前記回動部材の回動位置によって確認するための確認手段が設けられ、前記コード変換位置において、特定キーコードのキーをキー孔に挿入して、前記内筒を前記通常操作可能位置にまで回動させることで、キーコードの変換が完了し、前記特定キーコードのキーによる通常操作が可能となるとともに、前記特定キーコードのキーの係合部と前記回動部材の被係合部が係合して回動部材が回動し、前記確認手段により、前記特定キーコードのキーによる通常操作が可能となったことを確認できるようになっていることから、特定キーコードのキーによって通常操作可能の状態にあることと、それ以外のキーコードのキーによって通常操作可能の状態にあることとの区別が容易に確認できることになる。従って、例えば、可変コード型シリンダ錠を採用した遊技機において、メーカーの出荷段階で設定された流通キーのキーコードで通常操作可能な状態にある可変コード型シリンダ錠を採用した遊技機を、遊技場側でユーザーキーのキーコードで通常操作可能な状態にキーコード変換することが容易に行えるとともに、ユーザーキーで通常操作可能となっていることが容易に確認でき、また、遊技機の入れ替え時に、ユーザーキーのキーコードで通常操作可能な状態から流通キーのキーコードで通常操作可能な状態にコード変換（設定変更）することが容易に行え、流通キーで通常操作可能な状態にキーコードが戻っていることを容易に確認することができることになり、入れ替えた遊技機を、転売したり、リメイクのため、メーカーに引き取ってもらう際、流通キーで通常操作ができない遊技機が混入する恐れがない。
そして、可変コード型シリンダ錠はコンパクトで見栄えがよく、また、その構造は、簡単であり、製造も容易であって、可変コード型シリンダ錠を安価に提供できる。
この発明の可変コード型シリンダ錠は、遊技機だけでなく、自動販売機、貸しロッカー等、多数の分野において、極めて有用である。
【図面の簡単な説明】
【００１３】
【図１】従来の可変コード型シリンダ錠の分解斜視図である。
【図２】図１に示す可変コード型シリンダ錠の通常操作のためキーが挿入された状態の断面図である。
【図３】この発明の可変コード型シリンダ錠の一実施の形態の要部を示す分解斜視図である。
【図４】図３に示す可変コード型シリンダ錠の一部破断した分解側面図である。
【図５】図３に示す可変コード型シリンダ錠の正面図である。
【図６】回動部材が外筒と内筒との間に設けられていることを、キーが挿入されたた状態で示す説明図である。
【図７】図３の可変コード型シリンダ錠に使用することのできる異なったキーコードのキーの平面図で、（ａ）は特定キーコードのキー（流通キー）、（ｂ）、（ｃ）はそれぞれキーコードの異なったユーザーキーを示す。
【図８】図３の可変コード型シリンダ錠が流通キーで通常操作可能状態であることを示し、（ａ）は外筒前面壁部位の流通キーの断面を含む説明図、（ｂ）は回動部材が存在する部位の流通キーの断面を含む説明図である。
【図９】流通キーによる通常操作（時計方向に回動している状態）を示し、（ａ）は外筒前面壁部位の流通キーの断面を含む説明図、（ｂ）は回動部材が存在する部位の流通キーの断面を含む説明図である。
【図１０】流通キーによって、可変コード型シリンダ錠の内筒、回動部材がコード変換位置にまで回動した状態を示し、（ａ）は外筒前面壁部位の流通キーの断面を含む説明図、（ｂ）は回動部材が存在する部位の流通キーの断面を含む説明図である。
【図１１】コード変換位置において、ユーザーキーをキー孔に挿入した状態を示し、（ａ）は外筒前面壁部位のユーザーキーの断面を含む説明図、（ｂ）は回動部材が存在する部位のユーザーキーの断面を含む説明図である。
【図１２】ユーザーキーによるキー変換操作（時計方向に回動している状態）を示し、（ａ）は外筒前面壁部位のユーザーキーの断面を含む説明図、（ｂ）は回動部材が存在する部位のユーザーキーの断面を含む説明図である。
【図１３】ユーザーキーへのキー変換操作が完了した状態を示し、（ａ）は外筒前面壁部位のユーザーキーの断面を含む説明図、（ｂ）は回動部材が存在する部位のユーザーキーの断面を含む説明図である。
【図１４】ユーザーキーによる通常操作（時計方向に回動している状態）を示し、（ａ）は外筒前面壁部位のユーザーキーの断面を含む説明図、（ｂ）は回動部材が存在する部位のユーザーキーの断面を含む説明図である。
【図１５】ユーザーキーによって、可変コード型シリンダ錠の内筒、回動部材がキーコード変換位置にまで回動した状態を示し、（ａ）はユーザーキーの断面を含む説明図、（ｂ）は回動部材が存在する部位のユーザーキーの断面を含む説明図である。
【図１６】ユーザーキーによって、可変コード型シリンダ錠の内筒、回動部材をコード変換位置にまで回動した後、ユーザーキーに換え流通キーをキー孔に挿入した状態を示し、（ａ）は外筒前面壁部位の流通キーの断面を含む説明図、（ｂ）は回動部材が存在する部位の流通キーの断面を含む説明図である。
【図１７】この発明の可変コード型シリンダ錠の他の実施の形態における回動部材を示す。
【図１８】図１７の回動部材を使用した可変コード型シリンダ錠が流通キーで通常操作可能であることを示し、（ａ）は外筒前面壁部位の流通キーの断面を含む説明図、（ｂ）は回動部材が存在する部位の流通キーの断面を含む説明図である。
【図１９】流通キーによって、可変コード型シリンダ錠の内筒、回動部材がコード変換位置にまで回動した状態を示し、（ａ）は外筒前面壁部位の流通キーの断面を含む説明図、（ｂ）は回動部材が存在する部位の流通キーの断面を含む説明図である。
【図２０】コード変換位置において、ユーザーキーをキー孔に挿入した状態を示し、（ａ）は外筒前面壁部位のユーザーキーの断面を含む説明図、（ｂ）は回動部材が存在する部位のユーザーキーの断面を含む説明図である。
【図２１】ユーザーキーによるキー変換操作が完了した状態を示し、（ａ）は外筒前面壁部位のユーザーキーの断面を含む説明図、（ｂ）は回動部材が存在する部位のユーザーキーの断面を含む説明図である。
【図２２】この発明の可変コード型シリンダ錠の更に他の実施の形態の通常操作可能位置における回動部材が存在する部位の流通キーの断面を含む説明図である。
【図２３】この発明の可変コード型シリンダ錠の更に他の実施の形態の通常操作可能位置における回動部材が存在する部位の流通キーの断面を含む説明図である。
【図２４】この発明の可変コード型シリンダ錠の更に他の実施の形態の通常操作可能位置における回動部材が存在する部位の流通キーの断面を含む説明図である。
【図２５】この発明の可変コード型シリンダ錠の更に他の実施の形態を示し、（ａ）一部破断した分解側面図、（ｂ）はこの可変コード型シリンダ錠に適したキーの一例としての流通キーの平面図である。
【図２６】この発明で使用するユーザーキーの他の形態を示す平面図である。
【発明を実施するための形態】
【００１４】
以下、図面に基づきこの発明の形態を更に詳細に説明する。もちろんこの発明は以下の態様によって限定されるものではない。
図３は、この発明の可変コード型シリンダ錠の一実施の形態の要部を示す分解斜視図、図４は一部破断した分解側面図、図５は正面図である。なお、図３、図４においては、第１タンブラー、第２タンブラー等は省略している。図６は回動部材７０が外筒と内筒との間に設けられていることを、キーが挿入されている状態で示す説明図である。図７は、異なったキーコードのキーの平面図で、（ａ）は特定キーコードのキー（流通キー）、（ｂ）、（ｃ）はそれぞれキーコードの異なったユーザーキーを示す。図３からの図面においては、図１、図２と同じものについては、必要に応じ同一番号を付している。
【００１５】
可変コード型シリンダ錠１は、概略、特定キーコードのキーである流通キーＳに設けられた係合部とだけ係合する被係合部を有する薄円板状の回動部材７０が、外筒３の前面壁５５と内筒６の前面壁６１との間で、内筒６の頭部６２に形成された円弧状の拡径段部６３で内筒の回動軸線を中心として回動可能となるように支持され、外筒３の前面壁５５には、回動部材７０に設けられた流通キーＳによる通常操作が可能であることを示す表示部７１を確認することのできる確認窓５７が設けられ、コード変換位置において、流通キーＳをキー孔６４に挿入して、内筒６を通常操作可能位置にまで回動させることで、キーコードの変換が完了し、流通キーＳによる通常操作が可能となるとともに、流通キーＳの係合部と回動部材７０の被係合部が係合して回動部材７０が回動し、確認窓５７を介して、流通キーＳによる通常操作が可能となったことを、回動部材７０の表示部７１によって確認することができるようになっている構成を有することが、図１、図２で説明した可変コード型シリンダ錠と異なるもので、コード変換機構等は、両者に共通するものである。
そこで、以下においては、図１、図２で説明した可変コード型シリンダ錠と相違する構成について、図３〜図７を用いてより具体的に説明し、両者に共通するコード変換機構等については説明を省略する。
【００１６】
内筒の頭部６２は、図３、図４に示されているように、矩形状のキー孔６４によってキー孔６４の長辺両側に２分されており、頭部６２の基部に円弧状の拡径段部６３が設けられている。
【００１７】
回動部材７０には、図３、図６に示されているように、内筒６の拡径段部６３と略同径の回動孔７２が形成されており、回動孔７２は、半径方向に向かって切り欠かれた凹部７３、７３が対向した位置に形成された形状となっている。
図７（ａ）に示されているように、流通キーＳには抜け止め用突起８５が設けられ、その幅ｗ１は、図７（ｂ）のユーザーキーＴや図７（ｃ）の別ユーザーキーＵの抜け止め用突起８５の幅ｗ２よりも幅広に設定されている。幅ｗ１は、回動部材７０の凹部７３、７３の対向間隔に対応しており、幅ｗ２は、回動部材７０の回動孔７２の直径よりも短く設定されている。
流通キーＳをキー孔６４に挿入すると、抜け止め用突起８５の端部８５ａ、８５ａが回動部材７０の凹部７３、７３と係合し、通常操作をすれば、回動部材７０が内筒６とともに回動することになる。一方、ユーザーキーＴやユーザーキーＵをキー孔６４に挿入しても、これらの抜け止め用突起８６の端部は、回動部材７０の凹部７３、７３とは係合せず、通常操作を行っても内筒６が回動するだけで、回動部材７０は回動することがない。このように、流通キーＳの抜け止め用突起８５の端部８５ａ、８５ａは、回動部材７０の凹部７３、７３とだけ係合する係合部を構成し、回動部材７０の凹部７３、７３は、被係合部を構成することになる。
内筒の拡径段部６３は、回動部材７０を安定した位置に支持し、ユーザーキーによって内筒６だけを回動させても回動部材７０が支障とならないようにするために採用することが好ましいものであるが、必ずしも必要とされるものではない。
なお、流通キーＳ、ユーザーキーＴ、ユーザーキーＵのキー溝の形状（コード）は、キー毎に異なっている。
【００１８】
そして、回動部材７０は、クリック機構により、内筒６の通常操作可能位置またはコード変換位置の２カ所の位置において、外筒３に確実に係止させられるようになっている。そのために、図３、図６に示されているように、回動部材７０の外周側に、円弧状の第１弾性アーム７４と第２弾性アーム７５とが、回動部材７０の回動中心に対し点対称に設けられており、第１弾性アーム７４の先端部は第１突起７４ａを備え、第２弾性アーム７５の先端部は第２突起７５ａを備えている。外筒３の周壁内側には凹部３ａが形成されており、内筒６が流通キーＳによる通常操作可能位置にあるとき、第１弾性アーム７４の第１突起７４ａが凹部３ａに係止され、第２弾性アーム７５は、外筒３によって内側に弾性変形させられている。内筒６が流通キーＳによってコード変換位置に回動したとき、第２弾性アーム７５の第２突起７５ａが凹部３ａに係止され、第１弾性アーム７４が、外筒３によって内側に弾性変形させられることになる（図１０参照）。
外筒３の周壁内側に形成された凹部３ａは、図４に示されるように、サイドバー用の係合凹部（図２の図面番号３ａも参照）を長手方向に延長したものとしているが、これに限られるものではなく、例えば、外筒の周壁内側にサイドバー用の係合凹部とは別の凹部を形成したものであってもよい。
【００１９】
そして、回動部材７０は、表示部７１と回動中心に対し点対称の位置が切欠かかれた切欠部分７６を有する。回動部材７０の表示部７１は、内筒６が流通キーＳによる通常操作可能位置にあるとき、外筒３の前面壁５５に設けられた確認窓５７を介して確認できる位置にあり、内筒６が流通キーＳによってコード変換位置に回動したときには、切欠部分７６が確認窓５７に位置することになる。表示部７１は、例えば、着色されていることが好ましい。
【００２０】
外筒３の前面壁５５の中央部は、キー挿入を可能とするとともに内筒の頭部６２を受け入れる前面孔５８が形成されており、外筒３内に、回動部材７０と内筒６を装着することで、内筒６の頭部６２の頂面は外筒３の前面と面一となる。
図３、図５に示されているように、外筒３の前面壁５５に設けられた△マークに、内筒６の頭部６２に設けられた○マークが一致した位置にあるとき、キーによる通常操作可能位置であることを示し、内筒６が回動し、△マークに対し○マークがキー孔６４を介して反対位置にあるときは、コード変換位置にあることを示す。
このように、外筒３の△マークと内筒６の○マークは、内筒６が通常操作可能位置にあるのか、コード変換位置にあるのかを容易に確認できるようにするためのものであって、外筒３のマークと内筒６のマークの形状、組み合わせ、配設位置等はこれに限られるものではない。また、内筒６が通常操作可能位置にあるのか、コード変換位置にあるのかを容易に確認できるようにするために、外筒３、内筒６にマークを設けることが好ましいが、必ずしも必要とされるものではない。
【００２１】
次に、可変コード型シリンダ錠１の流通キーＳによる通常操作について説明する。
図８は、可変コード型シリンダ錠が流通キーで通常操作可能であることを示し、（ａ）は流通キーがキー孔に挿入された状態における外筒前面壁部位の流通キーの断面を含む説明図、（ｂ）は回動部材が存在する部位の流通キーの断面を含む説明図である。
この状態では、図８（ａ）に示されるように、△マークに○マークが一致した位置にあり、確認窓５７を介して回動部材７０の表示部７１が確認できる。そして、図８（ｂ）に示されるように、回動部材７０は、第１弾性アーム７４の第１突起７４ａが外筒３の凹部３ａに係止され、第２弾性アーム７５は、外筒３によって内側に弾性変形させられた状態にあり、図７（ａ）に示す流通キーＳがキー孔６４に挿入されることで、流通キーＳの抜け止め用突起の端部８５ａ、８５ａが回動部材７０の凹部７３、７３と係合することになる。
そして、この状態で、流通キーＳを通常操作することで、回動部材７０が内筒とともに回動することになる。
図９は、可変コード型シリンダ錠の流通キーによる通常操作（時計方向に回動している状態）を示し、（ａ）は外筒前面壁部位の流通キーの断面を含む説明図、（ｂ）は回動部材が存在する部位の流通キーの断面を含む説明図である。
流通キーＳを時計方向に回動することで、回動部材７０は内筒とともに時計方向に回動し、図９（ａ）に示されるように、△マークから○マークが離れてゆくが、確認窓５７を介して回動部材７０が確認できている。回動部材７０が内筒とともに時計方向に回動し始めると、第１弾性アーム７４の第１突起７４ａと外筒３の凹部３ａとの係止が外れ、回動部材７０は、第１弾性アーム７４も第２弾性アーム７５も、外筒３によって内側に弾性変形させられた状態で回動することになる。
【００２２】
次に、可変コード型シリンダ錠１を、流通キーＳによる通常操作可能な状態から、例えば、ユーザーキーＴによる通常操作可能な状態にキーコードを変換する操作について説明する。
まず、流通キーＳで通常操作可能な状態の可変コード型シリンダ錠１のキー孔６４に、流通キーＳを挿入する。その状態は、前述した図８に示す状態と同じであることから、図示、説明は省略する。
そして、流通キーＳを時計方向にコード変換位置にまで１８０゜回動させると、回動部材７０が内筒６とともに、前述した図９で示した状態を経て、図１０で示す状態となる。
図１０は、流通キーによって、可変コード型シリンダ錠の内筒、回動部材がコード変換位置にまで回動した状態を示し、（ａ）は外筒前面壁部位の流通キーの断面を含む説明図、（ｂ）は回動部材が存在する部位の流通キーの断面を含む説明図である。
図１０（ａ）に示されるように、コード変換位置においては、外筒３の△マークに対し内筒６の○マークがキー孔６４を介した反対位置にあって、コード変換位置にあることを示しており、また、確認窓５７には、回動部材７０の切欠部分７６が位置している。そして、図１０（ｂ）に示されるように、回動部材７０は、第２弾性アーム７５の第２突起７５ａが外筒３の凹部３ａに係止され、第１弾性アーム７４は、外筒３によって内側に弾性変形させられた状態となる。
【００２３】
次いで、コード変換位置において、流通キーＳをキー孔６４から引き抜き、ユーザーキーＴをキー孔６４に挿入するが、図１１から明らかなように、ユーザーキーＴの抜け止め用突起８６の端部は、回動部材７０の凹部７３、７３とは係合しない。
そして、ユーザーキーＴを時計方向（反時計方向でもよい。）に回動させると、図１２（ａ）に示すように、内筒６が回動し、△マークに向かって○マークが近づくが、図１２（ｂ）に示すように、回動部材７０は、回動せずそのままの位置に残る。
さらに、ユーザーキーＴを回動させ、内筒６をコード変換位置から時計方向に１８０゜回動させると、キーコード変換が完了し、可変コード型シリンダ錠１は、ユーザーキーＴによって通常操作可能な状態となる。その状態においては、図１３に示すように、○マークは△マークに一致した位置に達するが、回動部材７０は、回動せず、確認窓５７には、回動部材７０の切欠部分７６が位置することになり、内筒６の前面壁６１が確認でき、流通キーＳとは部のユーザーキーＴによる通常操作可能位置にあることが確認できる。キーコードの変換は、前記したコード変換機構が機能することによる（以下、同様）。
【００２４】
図１３に示されるユーザーキーＴによる通常操作可能位置において、ユーザーキーＴを時計方向に回動して施錠操作を行っても、図１４に示すように、内筒６は時計方向に回動するものの、回動部材７０は回動せず、そのままの位置に残ることになる。
【００２５】
ユーザーキーＴによる通常操作可能位置において、図７（ｃ）に示すような別のユーザーキーＵで通常操作可能にキーコード変換するには、ユーザーキーＴをキー孔に挿入して時計方向に１８０゜回動させて、内筒をコード変換位置にまで回動させた上で、ユーザーキーＴをキー孔から引き抜き、別のユーザーキーＵをキー孔に挿入して時計方向に１８０゜回動させることで、キーコード変換が完了し、可変コード型シリンダ錠１は、別のユーザーキーＵによって通常操作可能な状態となる。コード変換操作を行っても、回動部材７０は、回動せずそのままの位置に残り、確認窓５７には、回動部材７０の切欠部分７６が位置したままであることは図１３と同様である。
【００２６】
次に、遊技機をリメイクして、再生品として市場に供給するために、メーカーに引き取ってもらう遊技機の可変コード型シリンダ錠を、ユーザーキーで操作可能な状態から流通キーで操作可能な状態にコード変換する場合のように、例えば、ユーザーキーＴによって通常操作可能な状態から、流通キーＳのキーコードによって通常操作可能な状態にキーコード変換する操作について説明する。
先ず、ユーザーキーＴで通常操作可能な状態の可変コード型シリンダ錠１のキー孔６４に、ユーザーキーＴを挿入する。その状態は、前述した図１３に示す状態と同じであることから、図示、説明は省略する。
そして、ユーザーキーＴを時計方向にコード変換位置にまで１８０゜回動させると、内筒６だけが、前述した図１４で示した状態を経て、図１５で示す状態となる。
図１５は、ユーザーキーによって、可変コード型シリンダ錠の内筒がキーコード変換位置にまで回動した状態を示し、（ａ）はユーザーキーの断面を含む説明図、（ｂ）は回動部材が存在する部位のユーザーキーの断面を含む説明図である。
図１５（ａ）に示されるように、コード変換位置において、外筒３の△マークに対し内筒６の○マークがキー孔６４を介した反対位置にあって、コード変換位置にあることを示しており、また、確認窓５７には、回動部材７０の切欠部分７６が位置したままである。図１５（ｂ）に示されるように、回動部材７０は、第２弾性アーム７５の第２突起７５ａが外筒３の凹部３ａに係止され、第１弾性アーム７４は、外筒３によって内側に弾性変形させられた状態にある。
【００２７】
次いで、コード変換位置において、ユーザーキーＴをキー孔６４から引き抜き、流通キーＳをキー孔６４に挿入すると、図１６から明らかなように、流通キーＳの抜け止め用突起８５の端部８５ａ、８５ａが、回動部材７０の凹部７３、７３と係合する。
そして、流通キーＳを時計方向に回動させると、内筒６とともに回動部材７０が回動することになる。その際、回動部材７０の第２弾性アーム７５の第２突起７５ａと外筒３の凹部３ａとの係合が外れ、回動部材７０は、第１弾性アーム７４も第２弾性アーム７５も、外筒３によって内側に弾性変形させられた状態で回動することになる。
さらに、流通キーＳを回動させ、内筒６をコード変換位置から時計方向に１８０゜回動させると、キーコード変換が完了し、可変コード型シリンダ錠１は、再度、流通キーＳによって通常操作可能な図８に示す状態となる。すなわち、○マークが△マークに一致した位置に達し、確認窓５７を介して回動部材７０の表示部７１が確認できる。回動部材７０は、第１弾性アーム７４の第１突起７４ａが外筒３の凹部３ａに係止し、第２弾性アーム７５は、外筒３によって内側に弾性変形させられた状態にある。
以上説明したように、可変コード型シリンダ錠１によれば、確認窓５７を介して回動部材７０の回動位置を確認することで、標準キーによる通常操作が可能かどうかの確認ができる。
【００２８】
回動部材の表示部と切欠部分とを、入れ替え、回動中心に対し逆の位置となるようにしてもよい。これによれば、流通キーによって通常操作可能な状態では、表示部を確認窓から確認できず、コード変換されユーザーキーによって通常操作可能な状態で、表示部を確認窓から確認することができることになる。
【００２９】
ユーザーキーＵ等他のユーザーキーによって通常操作可能な状態から、流通キーＳによって通常操作可能な状態にキーコード変換する操作も前記したと同じ操作を行えばよい。
【００３０】
なお、可変コード型シリンダ錠を流通キーで通常操作可能な状態に戻さなくても、例えば、事前に取り決めた回動部材を回動させることのできる係合部を有する特定のキーコードのキーで通常操作可能な状態にした遊技機を、メーカーに引き取らせる等してもよいことはいうまでもない。
【００３１】
図１７は、この発明の可変コード型シリンダ錠の他の実施の形態における回動部材を示す。
図１７に示す回動部材９０は、両側に弾性アームを拡げた三日月形状をしている。回動部材９０は、第１弾性アーム９１の先端部に第１突起９１ａ、第２弾性アーム９２の先端部に第２突起９２ａが設けられている。第１突起９１ａは、内筒が流通キーによる通常操作可能位置にあるとき、外筒３の凹部３ａと係止し、第２突起９２ａは、内筒がコード変換位置に回動したとき、外筒３の凹部３ａと係止される。回動部材９０の内周側略中央に流通キーＳの抜け止め用突起８５の一方の端部８５ａとだけ係合する凹部９３が形成されている。
【００３２】
この回動部材９０を用いた可変コード型シリンダ錠は、回動部材以外は、前記した可変コード型シリンダ錠１と同様なことから、以下は、流通キーＳによる通常操作可能な状態から、例えば、ユーザーキーＴによる通常操作可能な状態にキーコードを変換する操作について、図１８〜図２１に基づいて概略を説明し、流通キーＳによる通常操作、ユーザーキーＴによる通常操作、ユーザーキーＴによる通常操作可能な状態から、流通キーＳによる通常操作可能な状態にキーコードを変換する操作については、前記可変コード型シリンダ錠１に準じて行えばよく、説明を省略する。図１８、図１９において、（ａ）は、外筒前面壁部位の流通キーの断面を含む説明図、（ｂ）は回動部材が存在する部位の流通キーの断面を含む説明図である。また、図２０、図２１において、（ａ）は、外筒前面壁部位のユーザーキーの断面を含む説明図、（ｂ）は回動部材が存在する部位のユーザーキーの断面を含む説明図である。
【００３３】
流通キーＳによる通常操作可能な状態から、例えば、ユーザーキーＴのキーコードによる通常操作可能な状態にキーコードを変換するには、以下の操作によればよい。
すなわち、まず、流通キーＳで通常操作可能な状態の可変コード型シリンダ錠のキー孔に、流通キーＳを挿入する。図１８は可変コード型シリンダ錠が流通キーで通常操作可能であることを示し、回動部材９０の凹部９３に流通キーＳの抜け止め用突起８５の一方の端部８５ａが係合している。この状態では、確認窓５７を介して回動部材９０の表示部９４が確認できる。
そして、流通キーＳを時計方向にコード変換位置にまで１８０゜回動させると、回動部材９０が内筒とともに回動し、図１９に示されるコード変換位置になる。図１９においては、外筒３の△マークに対し内筒の○マークがキー孔を介した反対位置にあり、内筒がコード変換位置にあることがわかる。また、回動部材９０が上下反転しており、確認窓５７からは、回動部材９０は確認できない。
【００３４】
次いで、コード変換位置において、流通キーＳをキー孔から引き抜き、ユーザーキーＴをキー孔に挿入しても、図２０に示されるように、ユーザーキーＴの抜け止め用突起８６は回動部材９０の凹部９３とは係合しない。
そして、ユーザーキーＴを時計方向に通常操作可能位置にまで１８０゜回動させると、内筒だけが回動し、流通キーＳによる通常操作可能状態から、ユーザーキーＴで通常操作可能な状態に可変コード型シリンダ錠のキーコードの変換が完了する（図２１参照）。この状態では、回動部材９０は上下反転したままであり、確認窓５７からは回動部材９０は確認できず、内筒の前面壁６１が確認できる。
【００３５】
図２２は、さらに別の回動部材１００を採用した可変コード型シリンダ錠を示す。回動部材１００は、回動中心の点対称位置に設けられた板状の第１弧状片１０１と第２弧状片１０２を円弧状の第１弾性金属線１０３と第２弾性金属線１０４とで連結したものである。
第１弾性金属線１０３の第１凸部１０３ａと第２弾性金属線１０４の第２凸部１０４ａとは、回動部材１００の回動中心に対し点対称の位置にある。第１凸部１０３ａは、内筒が流通キーによる通常操作可能位置にあるとき、外筒３の凹部３ａと係止し、第２凸部１０４ａは、内筒がコード変換位置に回動したとき、外筒３の凹部３ａと係止される。第１弧状片１０１は、第２弧状片１０２より円弧長さが長く設定されて表示部１０５が設けられており、第１弧状片１０１と第２弧状片１０２の内周側略中央に流通キーＳの抜け止め用突起８５の先端部８５ａ、８５ａとだけ係合する凹部１０６、１０７が形成されている。
その他は、前記した可変コード型シリンダ錠１と同様なことから、説明を省略する。
【００３６】
図２３は、さらに別の回動部材１１０を採用した可変コード型シリンダ錠を示す。回動部材１１０は、前述した回動部材７０の切欠部分７６が設けられていないものであって、回動中心に対し点対称の形状となっており、流通キーで通常操作可能状態であることを示す第１表示部１１１とユーザーキーで通常操作可能状態であることを示す第２表示部１１２とを備えている。第１表示部１１１と第２表示部１１２とは、例えば、別色とされている（図示せず。）。
この回動部材１１０によれば、流通キーで通常操作可能状態であるときは、確認窓を介して第１表示部１１１が確認でき、ユーザーキーで通常操作可能状態であるときは、確認窓を介して第２表示部１１２が確認できる。
その他は、前記した可変コード型シリンダ錠１と同様なことから、説明を省略する。
【００３７】
図２４は、さらに別の回動部材１２０を採用した可変コード型シリンダ錠を示す。回動部材１２０は、回動孔１２１を有し凸部１２２、１２２が対向した位置に設けられている点が、前記した回動部材７０とは異なる。この可変コード型シリンダ錠に用いる流通キーＳ１の抜け止め用突起８７の端部には、前記凸部１２２、１２２と係合するように凹部８７ｂ、８７ｂが設けられている。
その他は、前記した可変コード型シリンダ錠１と同様なことから、説明を省略する。
【００３８】
図２５（ａ）は、さらに別の回動部材１３０を採用した可変コード型シリンダ錠を示す。回動部材１３０は、回動孔１３１を有する厚手の板状環状体であって、外周面には、回動中心に対し対称位置に第１凹部１３２と第２凹部（図示せず。）が設けられている。そして、外筒３の筒部３ｂに穿設した孔３ｃに、クリックボール１３３とコイルスプリング１３４を装填し、外側から閉鎖ボルト１３５で蓋をしている。これによってクリック機構を構成することになる。
なお、回動部材１３０にあわせて拡径段部１３６は、長手方向に延長したものとなっている。
図２５（ｂ）は、この可変コード型シリンダ錠に適したキーの一例としての流通キーＳ１の平面図である。
なお、図示していないが、回動部材１３０には、対向する位置に、流通キーで通常操作可能状態であることを示す第１表示部とユーザーキーで通常操作可能状態であることを示す第２表示部が設けられている。第１表示部と第２表示部とは、例えば、別色とされている。
この構造によれば、回動部材１３０は、前記したクリック機構により、内筒６の通常操作可能位置またはコード変換位置の２カ所の位置において、外筒３に確実に係止させられ、また、流通キーで通常操作可能状態であるときは、確認窓を介して第１表示部が確認でき、ユーザーキーで通常操作可能状態であるときは、確認窓を介して第２表示部が確認できる。
その他は、前記した可変コード型シリンダ錠１と同様なことから、説明を省略する。
【００３９】
ユーザーキーの抜け止め用突起としては、図７（ｂ）、（ｃ）に示された形状に限られず、例えば、図２６に示した形状であってもよい。
図２６に示されたユーザーキーＴ１の抜け止め用突起８８は、後方部を幅ｗ２とし前方部を幅広のｗ１とする段部となっている。ユーザーキーＴ１を可変コード型シリンダ錠１のキー孔に挿入し、通常操作をしても、前方部が、回動部材の凹部とは係合することがない。
以上においては、流通キーの抜け止め用突起を回動部材の被係合部との係合部としたが、これに限られず、抜け止め用突起と別に係合用突起を設け、係合用突起と回動部材の被係合部とが係合するようにしてもよい。また、抜け止め用突起ではない抜け止め用部を有する流通キーを用いる形式の可変コード型シリンダ錠においては、適宜流通キーと回動部材とが係合するように形状等を設定すればよい。
【００４０】
確認窓の形状は、前記したものに限られるものではなく、例えば、半円形の確認窓でもよく、配置位置等も前記した位置に限られるものではない。
確認窓を介して回動部材の表示部等が確認し難い場合は、例えば、確認窓に拡大レンズを設けるようにすればよい。
【００４１】
回動部材に設けた表示部を着色することで、流通キーで通常操作可能な状態にあるかどうかの確認が容易になるが、これに限られず、例えば、退色したり、表示部が汚れたりする可能性がある場合は、回動部材の表示部に確認用の孔を設け、孔の有無、孔の形状の相違等によって確認するようにしてもよい。  
【００４２】
内筒の通常操作可能位置またはコード変換位置の２カ所の位置において、回動部材を外筒に確実に係止するには、クリック機構を採用することが好ましいが、これに限られるものではない。
【００４３】
回動部材を外筒の前面壁と内筒の前面壁との間で回動可能とする構成だけに限定されず、例えば、外筒をキャップと円筒とから構成し、回動部材をキャップと円筒に設けた隔壁との間に配設し、内筒の頭部の拡径段部で回動部材を支持するようにする等の構造が採用できる。
【００４４】
前記した実施の形態では、流通キーで通常操作可能状態を確認する確認手段として、確認窓を利用するものを採用しているが、確認手段としては、これに限られず、例えば、回動部材が流通キーによって通常操作可能状態にあるのを、回動部材の特定箇所を電気的、磁気的、または、光学的に検出して、表示するようにしたものであってもよい。
【００４５】
以上、可変コード型シリンダ錠の発明として、特許文献１に記載の可変コード型シリンダ錠をベースにしたものと説明したが、この発明は、例えば、特許文献２、特許文献３等に記載の別の可変コード型シリンダ錠にも適用できるものであることはいうまでもない。
【符号の説明】
【００４６】
１  可変コード型シリンダ錠
３  外筒
３ａ  凹部
６  内筒
５５  前面壁
５７  確認窓
６１  前面壁
７０  回動部材
７１  表示部
７２  回動孔
７３  凹部
７４  第１弾性アーム
７４ａ  第１突起
７５  第２弾性アーム
７５ａ  第２突起
８５  抜け止め用突起
Ｓ  流通キー
【図１】
2011069084.tif 000003
【図２】
2011069084.tif 000004
【図３】
2011069084.tif 000005
【図４】
2011069084.tif 000006
【図５】
2011069084.tif 000007
【図６】
2011069084.tif 000008
【図７】
2011069084.tif 000009
【図８】
2011069084.tif 000010
【図９】
2011069084.tif 000011
【図１０】
2011069084.tif 000012
【図１１】
2011069084.tif 000013
【図１２】
2011069084.tif 000014
【図１３】
2011069084.tif 000015
【図１４】
2011069084.tif 000016
【図１５】
2011069084.tif 000017
【図１６】
2011069084.tif 000018
【図１７】
2011069084.tif 000019
【図１８】
2011069084.tif 000020
【図１９】
2011069084.tif 000021
【図２０】
2011069084.tif 000022
【図２１】
2011069084.tif 000023
【図２２】
2011069084.tif 000024
【図２３】
2011069084.tif 000025
【図２４】
2011069084.tif 000026
【図２５】
2011069084.tif 000027
【図２６】
2011069084.tif 000028